(57)【要約】【課題】ベッドの使用態様、ベッド使用者の身長、ベッドフレームに装着されるマットレスの大きさ等に応じて長さや幅を任意の寸法で手軽且つ容易に調節することができるベッドフレームを提供する。【解決手段】構築すべきベッドフレームＢＦに相当する大きさの仮想四辺形Ｓの内部に配設され、外側上縁面に接合穴２が穿設されると共に内側側面に連結穴３が穿設されてなる複数の台部材１と、下面に前記台部材１の接合穴２と整合する接合穴１２が穿設された複数の縁部材１１と、互いに対向させた前記台部材１の接合穴２と前記縁部材１１の接合穴１２とに着脱可能に嵌合される接合部材２１と、互いに対向させた一方の台部材１の連結穴３と他方の台部材１の連結穴３とに着脱可能に嵌合される連結部材２３とから構成される。【選択図】      図１
2004329627.tif 000002
【特許請求の範囲】
【請求項１】
構築すべきベッドフレームに相当する大きさの仮想四辺形の内部にその隅部及び所要辺部に沿って配設され、少なくとも外側の上縁面に接合穴が高さ方向に穿設されると共に少なくとも内側の側面に連結穴が横方向に穿設されてなる複数の台部材と、下面に前記台部材の接合穴と整合する接合穴が高さ方向に穿設された複数の縁部材と、前記縁部材を前記台部材の所要外側上縁面に接合するために、互いに対向させた前者の接合穴と後者の接合穴とに着脱可能に嵌合される接合部材と、隣接する両台部材を連結するために、互いに対向させた一方の台部材の連結穴と他方の台部材の連結穴とに着脱可能に嵌合される連結部材とからなるベッドフレーム。
【請求項２】
隣接する両台部材の間隙に補助台部材が配設されると共に該補助台部材における各台部材と対向する内側側面に該台部材の連結穴と整合する連結穴が横方向に穿設され、互いに対向させた前記台部材の連結穴と前記補助台部材の連結穴とに連結部材が着脱可能に嵌合されるようにした、請求項１に記載のベッドフレーム。
【請求項３】
前記仮想四辺形内部の隅部に沿って配置された台部材における外側上縁面に接合される縁部材が、前記上縁面に沿ったＬ字形状を呈する、請求項１又は２に記載のベッドフレーム。
【請求項４】
前記仮想四辺形内部の前方隅部及び前方辺部に沿って配置された台部材の前方外側上縁面に接合される縁部材がベッドのヘッドボードを形成する、請求項１、２又は３に記載のベッドフレーム。
【請求項５】
前記仮想四辺形内部の後方隅部及び後方辺部に沿って配置された台部材の後方外側上縁面に接合される縁部材がベッドのフットボードを形成する、請求項１、２又は３に記載のベッドフレーム。
【請求項６】
台部材の外側側面にも連結穴が横方向に穿設された、請求項１〜５の何れかに記載のベッドフレーム。
【請求項７】
台部材における縁部材の接合に供されない接合穴及び／又は両台部材の連結に供されない連結穴に蓋部材が装着された、請求項１〜６の何れかに記載のベッドフレーム。
【発明の詳細な説明】
【０００１】
【発明の属する技術分野】
本発明は、長さ及び幅の調節が可能なベッドを得るためのベッドフレームに関する。
【０００２】
【従来の技術】
ベッド長さを調節し得るようにしたベッドフレームの構造として、例えば、特開平７−２１３３８２号公報には、３個のブロックを長手方向に配列すると共にそれらの上面側においてヒンジで回動可能に連結してなり、中央のブロックに対して前後の各ブロックを適宜回動して形態を変更するようにしたものが開示され、特開平１１−９３９３号公報には、床板を支えるフレームの一部を異なる長さのフレームと交換するようにしたものが開示され、特開２０００−２３７８５号、特開２０００−２３７８６号、特開２０００−３７２６１号の各公報には、ボトム端部を支えるフレーム端部にフレーム長手方向に伸縮調節可能に延長フレームを設けるようにしたものが開示され、特開２００１−３７５８７号公報には、ヘッド側ベッド枠とフット側ベッド枠とを所望のベッド枠長さとなるように連結したものが開示され、さらに特開２００１−２９９８２６号公報には、互いに隣接するフレームを任意の間隔に調節可能にヒンジで連結したものが開示されている。
【０００３】
一方、ベッド幅を調節し得るようにしたベッドフレームの構造として、例えば、特開平１０−８５０８１号公報には、左右側枠の間に中枠を配設すると共に該中枠の前後に頭足側枠を各々配設してなり、前記頭足側枠を該中枠に対して左右方向位置調節自在に支持するようにし、或いは該頭足側枠を長さ違いのものに交換するようにしたものが開示され、特開２０００−１６６６９８号公報には、ボトム側辺にマットレス端縁の載置可能な横棒部材を進退可能に支持させるようにしたものが開示され、さらに特開２０００−１８９２８４号公報には、ボトム側辺に扁平キャップを幅方向に進退可能に装着したものが開示されている。
【０００４】
しかしながら、前記従来のベッドフレームでは、何れも、ベッドの使用態様、ベッド使用者の身長、ベッドフレームに装着されるマットレスの大きさ等に応じて長さ及び幅を任意の寸法で手軽且つ容易に調節することができなかった。
【０００５】
【発明が解決しようとする課題】
本発明の課題は、ベッドの使用態様、ベッド使用者の身長、ベッドフレームに装着されるマットレスの大きさ等に応じて長さや幅を任意の寸法で手軽且つ容易に調節することができるベッドフレームを提供することにある。
【０００６】
【課題を解決するための手段】
本発明に係るベッドフレームは、構築すべきベッドフレームに相当する大きさの仮想四辺形の内部にその隅部及び所要辺部に沿って配設され、少なくとも外側の上縁面に接合穴が高さ方向に穿設されると共に少なくとも内側の側面に連結穴が横方向に穿設されてなる複数の台部材と、下面に前記台部材の接合穴と整合する接合穴が高さ方向に穿設された複数の縁部材と、前記縁部材を前記台部材の所要外側上縁面に接合するために、互いに対向させた前者の接合穴と後者の接合穴とに着脱可能に嵌合される接合部材と、隣接する両台部材を連結するために、互いに対向させた一方の台部材の連結穴と他方の台部材の連結穴とに着脱可能に嵌合される連結部材とからなるものである。
【０００７】
前記構成において、複数の台部材が、構築すべきベッドフレームに相当する大きさの仮想四辺形の内部にその隅部及び所要辺部に沿って配設され、縁部材が所要台部材の外側上縁面に両者の接合穴及び接合部材を介して接合され、また隣接する両台部材が両者の連結穴及び連結部材により連結され、それらによって所要ベッドフレームが構築される。
【０００８】
接合穴が穿設され且つ縁部材と接合される、台部材の外側上縁面とは、台部材における上縁面全周の内、仮想四辺形の外側に面した上縁面を意味し、従って仮想四辺形内部の隅部に沿って配設される台部材の場合は該仮想四辺形の角部を挟む二方向の上縁面を含み、また仮想四辺形内部の辺部に沿って配設される台部材の場合は一方向の上縁面を含むことになる。また、連結穴が穿設され且つ隣接する他の台部材と連結される、台部材の内側側面とは、台部材の全側面の内、仮想四辺形の内側に面した側面、換言すれば、該仮想四辺形内部において隣接する他の台部材側面と対向し得る側面を意味するものである。
【０００９】
前記ベッドフレーム上には、通常、各台部材上における縁部材の内側においてマットレスが載置され、それによって所要のベッドが形成される。
【００１０】
前記縁部材は、ベッドの形成に際して複数の台部材上にマットレスが載置される場合にマットレス側面の当たりとなり、それによってベッドフレームを所定マットレスに適合するように容易に構築することができ、また構築後のベッドフレーム上にマットレスを安定に載置させることができる。
【００１１】
前記ベッドフレームにおける隣接する両台部材の連結は、隣接する両台部材の間隔を所定どおり維持すると共にそれによってベッドフレームを当初の形態に安定に保形するものであるが、必要に応じて部分的に省略されても差し支えない。
【００１２】
前記ベッドフレームを長さ方向及び／又は幅方向に拡張又は収縮させる場合は、前記基本構成を維持しつつ、隣接する両台部材の間隔を適宜調整すればよく、その場合に必要に応じて元のベッドフレームから中間の台部材を除外し、或いは元のベッドフレームにおける隣接する台部材間に別の台部材を加えてもよい。隣接する両台部材の間隔を適宜調整するに際して、例えば、両台部材を連結する連結部材が別の長さのものと交換され、連結穴への連結部材の嵌合深さが調節され、或いは長さ調節可能とした連結部材の長さが調節されてもよい。なお、間隔調整後における隣接する両台部材は、互いに密接されていてもよく、またマットレスを安定に保持し得る程度に離隔されていてもよい。
【００１３】
また、所定マットレスの大きさに応じて前記のように構築されたベッドフレームに、前記元のマットレスより幾分大きな新規マットレスを使用する場合等において、後者の新規マットレスが各台部材上の縁部材の内側に装着できないときは、ベッドフレームを前記のように拡張する以外に、前記装着を阻害する縁部材を取り外すことで対処してもよい。
【００１４】
なお、前記ベッドフレームが部屋等の壁面に隣接して構築される場合には、その壁面がマットレス側面の当たりとなり得るため、必要に応じて前記壁面側の縁部材を取り外してもよい。
【００１５】
前記ベッドフレームを前記のように長さ方向及び／又は幅方向に拡張した場合において、隣接する両台部材の間隔が広がり過ぎたときは、マットレスをより安定にベッドフレームに支持させるために、隣接する両台部材間に既述のように別の台部材を加えてもよいが、それ以外に、例えば、補助台部材が配設されてもよく、その場合には該補助台部材における各台部材と対向する内側側面に該台部材の連結穴と整合する連結穴が横方向に穿設され、互いに対向させた前記台部材の連結穴と前記補助台部材の連結穴とに連結部材が着脱可能に嵌合される。
【００１６】
前記縁部材としては、各台部材の外側上縁面に応じた長さ及び形状を呈するものでもよく、また前記外側上縁面にその複数個所にわたって個別に接合されるものであってもよく、さらに隣接する複数の台部材の各外側上縁面にそれら台部材の間隙を介して一体的に架橋するように接合されるものであってもよい。例えば、仮想四辺形内部の隅部に沿って配設される台部材における外側上縁面に接合される縁部材については、二方向の上縁面に沿ったＬ字形状を呈するものでもよく、或いは前記二方向の上縁面に対して一方向の上縁面ごとに個別に接合される直線形状のものであってもよく、後者の場合に、仮想四辺形の頂部に当たる個所にさらに別の縁部材が個別に接合されてもよい。
【００１７】
また、仮想四辺形内部の前方隅部及び前方辺部に沿って配置された台部材の前方外側上縁面に接合される縁部材がベッドのヘッドボードを形成してもよく、また仮想四辺形内部の後方隅部及び後方辺部に沿って配置された台部材の後方外側上縁面に接合される縁部材がベッドのフットボードを形成してもよい。前記ヘッドボードやフットボードに使用される縁部材には、必要に応じて、所要形状の加工や装飾が施されていてもよい。
【００１８】
前記ヘッドボードやフットボードが、各々、各台部材ごとに設けられた複数の縁部材から形成されている場合、隣接する縁部材の間隙には、必要に応じて、それらの幅に応じたサイドテーブルや照明具等を設置することができ、或いはその間隙をベッド上への通路とすることも可能になる。
【００１９】
前記台部材、補助台部材、縁部材及びその他の構成部材は、前記の各作用を奏してベッドフレームを構成し得る限り、それらの形状、構造、材質等に特別の限定はない。前記台部材及び縁部材の各接合穴への接合部材の嵌合構造や前記台部材及び補助台部材の各連結穴への連結部材の嵌合構造にも特別の限定はなく、例えば通常の挿入、圧入、螺合、キー機構による係合等であってもよい。前記台部材、補助台部材及び縁部材に弾性材料を使用した場合は、前記接合部材の外径を接合穴の内径より僅かに大きくし、また前記連結部材の外径を連結穴の内径より僅かに大きくすることにより、前記接合穴への接合部材の嵌合や前記連結穴への連結部材の嵌合をある程度の圧入下に行うことができる。
【００２０】
前記台部材の底面には、必要に応じて、滑り止め手段や高さ調節手段が設けられてもよい。また、前記台部材としては、仮想四辺形内部の隅部及び所要辺部の何れの個所にも共通して設置し得るように、例えば上縁面全周にわたって接合穴が穿設されたものが使用されてもよい。
【００２１】
前記ベッドフレームの前記構成部材を利用し、複数の台部材を、好ましくは連結部材により互いに連結させつつ、例えば四角形状、四角枠形状、Ｌ字形状、コ字形状等の所要形状の座面を形成するように配列させ、各台部材の所要外側上縁面に背当てや肘掛けとなるべき縁部材を接合することにより、容易に、長さ調節や形態変更の可能なソファーフレームとすることができる。前記背当てや肘掛けとなるべき縁部材として、ベッドフレームに使用されたヘッドボードやフットボード用の各縁部材を有効に利用してもよく、また背当てや肘掛けに適した形状、大きさの縁部材を別に設けておいてもよい。なお、一個の台部材の所要上縁面に背当てや肘掛けとなるべき縁部材を接合することにより、容易に、椅子用フレームを形成することもできる。前記ソファーフレームや椅子用フレームの構築に際して、台部材に弾性材料を使用した場合は、前記ソファーフレームや椅子用フレームをそのままソファーや椅子として各々使用することも可能である。
【００２２】
前記台部材の内側側面には記述のように連結穴が穿設されているが、必要に応じて、その外側側面にも連結穴が横方向に穿設されていてもよい。その場合、例えば、構築されたベッドフレームやソファーフレームの所要台部材に縁部材上から補強カバーを被せると共に前記台部材上に前記補強カバーの上からその一端部を押圧固定するようにマットレスを載置し、さらに該補強カバーの垂下部を台部材の外側側面に、前記連結穴及びそれに嵌合可能且つ前記補強カバーの垂下部と係合可能な止め部材等を介して係止させることにより、大きな外力が加わり易い縁部材、例えばヘッドボード、フットボード、背当て、肘掛け等に使用される縁部材の接合を補強することが可能になる。また、構築されたベッドフレームやソファーフレームにおける特定の台部材の外側側面に穿設された前記連結穴を利用して別の台部材を連結部材により連結することにより、前記ベッドフレームやソファーフレームに前記台部材を含む別のベッドフレームやソファーフレームを併設したり、前記台部材からなる椅子用フレームを付設させたりすることが可能になる。
【００２３】
台部材における縁部材の接合に供されない接合穴や両台部材の連結に供されない連結穴には、必要に応じて、蓋部材が装着されてもよい。前記蓋部材は、不使用の前記接合穴や連結穴を塞いでごみ類の進入を防止し、或いは表面等に施した加工、着色、模様や記号、文言等の表示により装飾や宣伝広告等に資するものである。また、前記蓋部材は、既述のように補強カバーの垂下部を台部材の外側側面に連結穴を利用して係止させる場合の前記止め部材を兼用することも可能である。前記蓋部材の開閉構造には、既述のような接合穴への接合部材の嵌合構造や連結穴への連結部材の嵌合構造と同様の構造が採用されてもよい。
【００２４】
【発明の実施の形態】
以下、本発明を実施例に基づいて具体的に説明する。
図１は、本発明の実施例に係るベッドフレームの一部組み立て状態を示す斜視図、図２は図１に示すベッドフレームの平面図、図３は図２におけるＩ−Ｉ線切断断面図、図４は図２におけるＩＩ−ＩＩ線切断断面図である。
【００２５】
同図において、構築すべきベッドフレームＢＦに相当する大きさの仮想四辺形Ｓの内部に、その隅部及び所要辺部に沿って四角柱状の複数の台部材１が配設され、各台部材１の外側上縁面に四角形状の複数の接合穴２が高さ方向に穿設されると共に内側側面及び外側側面に円形状の複数の連結穴３が横方向に穿設され、各台部材１の下面に図示されない滑り止め部材が付設されている。なお、前記仮想四辺形Ｓの各隅部に沿って配設された台部材１では、複数の接合穴２が二方向にわたる外側上縁面にＬ字形状に並んで穿設され、また前記仮想四辺形Ｓの各所要辺部に沿って配設された台部材１では、複数の接合穴２が一方向の外側上縁面に直線状に並んで穿設されている。
【００２６】
前記台部材１の接合穴２が穿設された外側上縁面には、所要高さの直線状又はＬ字形状の縁部材１１が接合されている。前記縁部材１１の下面には前記台部材１の接合穴２と整合する四角柱状の複数の接合穴１２が高さ方向に穿設されており、互いに対向させた前記台部材１の接合穴２と前記縁部材１１の接合穴１２とに四角柱状の接合部材２１が着脱可能に緩い圧入下に嵌合され、それによって前記縁部材１１が台部材１の前記外側上縁面に着脱可能に接合されている。
【００２７】
前記仮想四辺形Ｓの前方隅部に配設された各台部材１では、長さ及び幅方向の二方向にわたる外側上縁面に、ベッドのヘッドボードを形成する幅方向の高い直線状縁部材１１と長さ方向、通常高さの直線状縁部材１１とがＬ字形状をなして接合され、前記仮想四辺形Ｓの長さ方向中間に配設された各台部材１では、長さ方向の外側上縁面に通常高さの直線状縁部材１１が接合され、さらに前記仮想四辺形Ｓの後方隅部に配設された各台部材１では、長さ及び幅方向の二方向にわたる外側上縁面に、ベッドのフットボードを形成する幅方向の比較的高い直線状部分と長さ方向、通常高さの直線状部分とからなるＬ字形状縁部材１１が接合されている。なお、前記台部材１における前記縁部材１１の接合に供されない接合穴２には、必要に応じて、図１に示すように、蓋部材２２が着脱可能に嵌合され、その場合に該蓋部材２２として前記接合部材２１が使用されてもよい。
【００２８】
一方、前記のように配設された複数の台部材１における、互いに対向させた一方の台部材１の連結穴３と他方の台部材１の連結穴３とに所要長さの円柱状の連結部材２３が着脱可能に緩い圧入下に所要深さに嵌合され、それによって隣接する両台部材１が着脱可能に所要の間隔を保持しつつ連結されている。なお、前記台部材１における他の台部材１との連結に供されない連結穴３、特に台部材１の外側側面に穿設された連結穴３には、必要に応じて、蓋部材２４が着脱可能に嵌合される。
【００２９】
前記のように構築されたベッドフレームＢＦ上には、通常、各台部材１上における縁部材１１の内側においてマットレスＭが載置され、それによって所要のベッドが形成される。前記ベッドフレームＢＦにおけるヘッドボードを形成する両縁部材１１の間隙やフットボードを形成する両縁部材１１の間隙は、ベッド上への通路として利用することができるが、必要に応じて、それらの間隙にサイドテーブルや照明具等が設置されてもよい。
【００３０】
図５（Ａ）は、図１に示す構成のベッドフレームにおける隣接する両台部材の間隙に補助台部材が配設されてなる、本発明の別の実施例に係るベッドフレームの要部平面図、同図（Ｂ）は同図（Ａ）におけるＩＩＩ−ＩＩＩ線切断断面図である。
【００３１】
同図において、前記ベッドフレームＢＦの構築に際して、隣接する両台部材１の間隙に、マットレスＭの安定支持のために補助台部材５が配設されている。前記補助台部材５における各台部材１と対向する内側側面には、該台部材１の連結穴３と整合する連結穴６が横方向に穿設され、互いに対向させた前記台部材１の連結穴３と前記補助台部材５の連結穴６とに連結部材２３が着脱可能に嵌合される。
【００３２】
図６（Ａ）は本発明に係るベッドフレームの構成部材を用いて構築されたソファーフレームの一例の斜視図、同図（Ｂ）は同図（Ａ）における幅方向切断縦断面である。
【００３３】
同図において、前記のようにベッドフレームＢＦの構成部材に含まれる２個の台部材１が両者の連結穴３及びそれらに嵌合される連結部材２３を介して互いに密接して連結され、各台部材１の所要外側上縁面に背当てとなる縁部材１１及び肘掛けとなる縁部材１１が両者の接合穴２、１２及びそれらに嵌合される接合部材２１を介して接合され、それによってソファーフレームＳＦが構築されている。
【００３４】
図７は、図１に示すベッドフレームを構成する特定の台部材に、別に構築されたソファーフレームを構成する特定の台部材を連結してなるベッドフレーム複合体の要部平面図である。
【００３５】
同図において、構築されたベッドフレームＢＦにおける後方隅部に配設された台部材１の外側側面に、別に既述のようにして構築されたソファーフレームＳＦにおける台部材１の外側側面が当接され、互いに対向させた一方の台部材１の連結穴３と他方の台部材１の連結穴３とに連結部材２３が着脱可能に嵌合され、それらによって前記の両台部材１が連結されると共に前記ベッドフレームＢＦと前記ソファーフレームＳＦとが連結されている。
【００３６】
図８は、図１に示すベッドフレームにおけるヘッドボードの接合を補強カバーにより補強した状態を説明する縦方向切断要部断面図である。
【００３７】
同図において、構築されたベッドフレームＢＦにおける前方隅部に配設された台部材１にヘッドボードを形成する縁部材１１上から補強カバー２５が被せられると共に前記台部材１上に前記補強カバー２５の上からその一端部を押圧固定するようにマットレスＭが載置され、さらに該補強カバー２５の垂下部が台部材１の各外側側面に、それらの連結穴３及びそれに嵌合可能且つ前記補強カバー２５の垂下部と係合可能な係止部材２６を介して係止させられている。
【００３８】
【発明の効果】
請求項１に記載の発明に係るベッドフレームは以上のように構成されるので、ベッドの使用態様、ベッド使用者の身長、ベッドフレームに装着されるマットレスの大きさ等に応じて長さや幅を任意の寸法で手軽且つ容易に調節することができ、また該ベッドフレームの各構成部材を用いてソファーフレームや椅子フレームを容易に構築することもできる。
【００３９】
請求項２に記載の発明に係るベッドフレームでは、ベッドフレームを長さ方向及び／又は幅方向に拡張した場合に、隣接する両台部材の広がり過ぎた間隙に補助台部材を配設することにより、ベッドの形成に際してマットレスをより安定にベッドフレームに支持させることができる。
【００４０】
請求項３に記載の発明に係るベッドフレームでは、仮想四辺形内部の隅部に沿って配設される台部材における外側上縁面に、一体で二方向の上縁面に沿った縁部材を接合することができる。
【００４１】
請求項４に記載の発明に係るベッドフレームでは、仮想四辺形内部の前方隅部及び前方辺部に沿って配置された台部材の前方外側上縁面に接合される縁部材によりベッドのヘッドボードを容易に形成することができる。また、請求項５に記載の発明に係るベッドフレームでは、仮想四辺形Ｓ内部の後方隅部及び後方辺部に沿って配置された台部材の後方外側上縁面に接合される縁部材によりベッドのフットボードを容易に形成することができる。
【００４２】
請求項６に記載の発明に係るベッドフレームでは、台部材の外側側面に穿設された連結穴を利用して、補強カバーの垂下部を台部材の外側側面に係止させると共に縁部材の接合を補強することができ、或いは前記連結穴が穿設された台部材の外側側面に、別のベッドフレームやソファーフレーム等を構成する別の台部材を連結することができる。
【００４３】
請求項７に記載の発明に係るベッドフレームでは、台部材における縁部材の接合に供されない接合穴や両台部材の連結に供されない連結穴に蓋部材を装着することにより、ごみ類の進入防止、装飾、宣伝広告、さらには別部材の係止等を図ることができる。
【図面の簡単な説明】
【図１】図１は本発明の実施例に係るベッドフレームの一部組み立て状態を示す斜視図である。
【図２】図２は図１に示すベッドフレームの平面図である。
【図３】図３は図２におけるＩ−Ｉ線切断断面図である。
【図４】図４は図２におけるＩＩ−ＩＩ線切断断面図である。
【図５】図５（Ａ）は、図１に示す構成のベッドフレームにおける隣接する両台部材の間隙に補助台部材が配設されてなる、本発明の別の実施例に係るベッドフレームの要部平面図、同図（Ｂ）は同図（Ａ）におけるＩＩＩ−ＩＩＩ線切断断面図である。
【図６】図６（Ａ）は本発明に係るベッドフレームの構成部材を用いて構築されたソファーフレームの一例の斜視図、同図（Ｂ）は同図（Ａ）における幅方向切断縦断面である。
【図７】図７は、図１に示すベッドフレームを構成する特定の台部材に、別に構築されたソファーフレームを構成する特定の台部材を連結してなるベッドフレーム複合体の要部平面図である。
【図８】図８は、図１に示すベッドフレームにおけるヘッドボードの接合を補強カバーにより補強した状態を説明する縦方向切断要部断面図である。
【符号の説明】
ＢＦ  ベッドフレーム
Ｓ    仮想四辺形
１    台部材
２    接合穴
３    連結穴
１１  縁部材
１２  接合穴
２１  接合部材
２３  連結部材
【図１】
2004329627.tif 000003
【図２】
2004329627.tif 000004
【図３】
2004329627.tif 000005
【図４】
2004329627.tif 000006
【図５】
2004329627.tif 000007
【図６】
2004329627.tif 000008
【図７】
2004329627.tif 000009
【図８】
2004329627.tif 000010